(57)【要約】【課題】作像可能範囲のサイズよりも大きいサイズの用紙に印刷を行う場合に、最終的に用紙に印刷されたイメージと同じ作像イメージをプレビュー表示することができる画像形成装置を提供する。【解決手段】画像形成装置は、表示部と、ユーザにより設定された印刷設定に基づいて第１のサイズの画像データの印刷を実行するときの印刷結果をプレビューするプレビュー画像の前記表示部への表示を制御する制御部と、を備え、前記制御部は、前記印刷設定のうち、印刷用紙として前記第１のサイズを超える第２のサイズの用紙が設定された場合に、第１の余白を含むプレビュー画像を前記第２のサイズに基づいて前記表示部に表示させる。【選択図】図２
2020088749.tif 000002
【特許請求の範囲】
【請求項１】
表示部と、
ユーザにより設定された印刷設定に基づいて第１のサイズの画像データの印刷を実行するときの印刷結果をプレビューするプレビュー画像の前記表示部への表示を制御する制御部と、
を備え、
前記制御部は、前記印刷設定のうち、印刷用紙として前記第１のサイズを超える第２のサイズの用紙が設定された場合に、第１の余白を含むプレビュー画像を前記第２のサイズに基づいて前記表示部に表示させる画像形成装置。
【請求項２】
印刷対象の画像の入力を受け付け、デジタル化した前記画像データを生成する画像入力部をさらに備え、
前記制御部は、画像印刷部の作像可能範囲と前記用紙とを重ねたときに重なり量が最大となる範囲のサイズを前記第１のサイズとし、
前記画像入力部は、原稿をスキャナで読み取って前記第１のサイズの前記画像データを生成する請求項１に記載の画像形成装置。
【請求項３】
前記画像入力部は、
前記用紙が前記作像可能範囲よりも小さい場合に、前記用紙のサイズを前記第１のサイズとして、前記画像データを生成し、
前記用紙が前記作像可能範囲よりも大きい場合に、前記作像可能範囲のサイズを前記第１のサイズとして、前記画像データを生成する請求項２に記載の画像形成装置。
【請求項４】
前記制御部は、画像を変倍して印刷する指示を受けた場合に、前記第１のサイズと、変倍した画像データの第３のサイズと、の差に応じて、前記変倍した画像データの周囲に付加した前記第１の余白の削除または第２の余白の付加を行う請求項１から３のいずれか１つに記載の画像形成装置。
【請求項５】
前記制御部は、画像を縮小して印刷する指示を受けた場合に、前記第１のサイズと、前記第３のサイズと、の差の分だけ、前記変倍した画像データの周囲に前記第２の余白を付加する請求項４に記載の画像形成装置。
【請求項６】
前記制御部は、前記画像を拡大して印刷する指示を受けた場合に、前記第３のサイズと、前記第１のサイズと、の差の分の余白を、前記第１の余白から削除する請求項４に記載の画像形成装置。
【請求項７】
前記用紙は、第１の方向に延在する一対の第１の辺と、前記第１の方向に直交する第２の方向に延在する一対の第２の辺と、を輪郭に有する矩形状を有し、
前記制御部は、前記第１の方向と前記第２の方向について、前記第１の余白の付加または前記画像データの一部の削除を行って前記プレビュー画像を生成する請求項１から６のいずれか１つに記載の画像形成装置。
【請求項８】
ユーザにより設定された印刷設定に基づいて第１のサイズの画像データの印刷を実行するときの印刷結果をプレビューするプレビュー画像を生成するプレビュー画像生成工程と、
前記プレビュー画像の表示部への表示を制御する表示制御工程と、
を含み、
前記表示制御工程では、前記印刷設定のうち、印刷用紙として前記第１のサイズを超える第２のサイズの用紙が設定された場合に、第１の余白を含むプレビュー画像を前記第２のサイズに基づいて前記表示部に表示させる画像形成方法。
【請求項９】
コンピュータに、
ユーザにより設定された印刷設定に基づいて第１のサイズの画像データの印刷を実行するときの印刷結果をプレビューするプレビュー画像を生成するプレビュー画像生成ステップと、
前記プレビュー画像の表示部への表示を制御する表示制御ステップと、
を実行させ、
前記表示制御ステップでは、前記印刷設定のうち、印刷用紙として前記第１のサイズを超える第２のサイズの用紙が設定された場合に、第１の余白を含むプレビュー画像を前記第２のサイズに基づいて前記表示部に表示させるためのプログラム。
【発明の詳細な説明】
【技術分野】
【０００１】
本発明は、画像形成装置、画像形成方法およびプログラムに関する。
【背景技術】
【０００２】
コピーを実行する前に、ユーザが設定した印刷用紙に関する印刷設定に基づく印刷結果のイメージを確認するためにプレビュー画面を表示して、ユーザがプレビュー画面を確認してからコピーを実行する画像形成装置が知られている。
【０００３】
この画像形成装置では、記録用紙に原稿画像が記録された後に綴じる工程が行われる場合に、操作画面に表示される複数ページの原稿画像のプレビュー画像を、記録用紙の綴じ位置に応じて、操作画面に対して縦方向または横方向のいずれかの方向に沿って並べるようにしている。
【発明の概要】
【発明が解決しようとする課題】
【０００４】
しかしながら、従来の技術では、画像形成装置の作像可能範囲よりも大きな用紙が通紙可能な画像形成装置で、用紙を断裁することを前提に、作像可能範囲よりも大きいサイズの用紙（以下、ノビ紙という）を使用して印刷する場合のプレビュー画像については考慮されていない。ノビ紙に印刷を行う場合は、用紙の中央に画像形成が行われ、画像の周囲は余白となるが、作像イメージをプレビュー表示すると、ノビ紙の作像可能範囲以外の部分が表示されず、最終的に得られる用紙のイメージとは異なる表示がなされてしまうという課題がある。
【０００５】
本発明は、上記に鑑みてなされたものであって、作像可能範囲のサイズよりも大きいサイズの用紙に印刷を行う場合に、最終的に用紙に印刷されたイメージと同じ作像イメージをプレビュー表示することができる画像形成装置、画像形成方法およびプログラムを提供することを目的とする。
【課題を解決するための手段】
【０００６】
上述した課題を解決し、目的を達成するために、本発明は、表示部と、ユーザにより設定された印刷設定に基づいて第１のサイズの画像データの印刷を実行するときの印刷結果をプレビューするプレビュー画像の前記表示部への表示を制御する制御部と、を備え、前記制御部は、前記印刷設定のうち、印刷用紙として前記第１のサイズを超える第２のサイズの用紙が設定された場合に、第１の余白を含むプレビュー画像を前記第２のサイズに基づいて前記表示部に表示させる。
【発明の効果】
【０００７】
本発明によれば、作像可能範囲よりも大きな用紙に印刷を行う場合に、最終的に用紙に印刷されたイメージと同じ作像イメージをプレビュー表示することができるという効果を奏する。
【図面の簡単な説明】
【０００８】
【図１】図１は、第１の実施の形態による画像形成装置のハードウェア構成の一例を示すブロック図である。
【図２】図２は、第１の実施の形態による画像形成装置の機能構成の一例を示すブロック図である。
【図３】図３は、第１の実施の形態による操作部および表示部の構成の一例を示す図である。
【図４】図４は、作像可能範囲情報の一例を示す図である。
【図５】図５は、用紙長さ情報の一例を示す図である。
【図６】図６は、第１の実施の形態によるコピー時の原稿読み取り処理の手順の一例を示すフローチャートである。
【図７】図７は、実施形態による読取サイズ情報の一例を示す図である。
【図８】図８は、第１の実施の形態による原稿読み取り処理の一例を示す図である。
【図９】図９は、第１の実施の形態による原稿読み取り処理の一例を示す図である。
【図１０】図１０は、第１の実施の形態による原稿読み取り処理の一例を示す図である。
【図１１】図１１は、第１の実施の形態による原稿読み取り処理の一例を示す図である。
【図１２】図１２は、第１の実施の形態によるプレビュー画像表示処理手順の一例を示すフローチャートである。
【図１３】図１３は、第１の実施形態によるプレビュー画像の表示処理の一例を示す図である。
【図１４】図１４は、第１の実施形態によるプレビュー画像の表示処理の一例を示す図である。
【図１５】図１６は、第１の実施形態によるプレビュー画像の表示処理の一例を示す図である。
【図１６】図１６は、第１の実施形態によるプレビュー画像の表示処理の一例を示す図である。
【図１７】図１７は、第１の実施の形態によるプレビュー画面の一例を示す図である。
【図１８】図１８は、第２の実施の形態による画像データを変倍したときのプレビュー画像の表示処理の一例を示す図である。
【図１９】図１９は、第２の実施の形態による画像データを変倍したときのプレビュー画像の表示処理の他の例を示す図である。
【発明を実施するための形態】
【０００９】
以下に添付図面を参照して、画像形成装置、画像形成方法およびプログラムの実施の形態を詳細に説明する。
【００１０】
（第１の実施の形態）
図１は、第１の実施の形態による画像形成装置のハードウェア構成の一例を示すブロック図である。画像形成装置１００は、ＣＰＵ（Central  Processing  Unit）１２と、ＲＯＭ（Read  Only  Memory）１３と、ＲＡＭ（Random  Access  Memory）１４と、ＨＤＤ（Hard  Disk  Drive）１５と、を有する。なお、ＨＤＤに代えて、ＳＳＤ（Solid  State  Drive）などの記憶装置が用いられてもよい。また、画像形成装置１００は、エンジン１６と、操作パネル１７と、通信Ｉ／Ｆ１８と、を有する。上記各部は、システムバス１１を介して相互に接続される。
【００１１】
エンジン１６は、コピー機能、スキャナ機能およびプリンタ機能等の各種の機能を実行するものであり、これらの機能を実現するための汎用的な情報処理および通信以外の処理を行なうハードウェアである。例えば、エンジン１６は、原稿を読み取るスキャナ、用紙等のシート材への印刷を行なうプロッタ等を有する。エンジン１６には、さらに、印刷済みシート材を仕分けるフィニッシャや、原稿を自動給送するＡＤＦ（Auto  Document  Feeder）のような特定のオプションを備えることもできる。
【００１２】
ＣＰＵ１２は、画像形成装置１００の動作を統括的に制御する。ＣＰＵ１２は、ＲＡＭ１４を作業領域として、ＲＯＭ１３またはＨＤＤ１５等に格納されたプログラムを実行する。これにより、ＣＰＵ１２は、画像形成装置１００全体の動作を制御する。すなわち、ＣＰＵ１２は、エンジン１６に、上述したスキャナ機能およびプリンタ機能等を実行させる。
【００１３】
操作パネル１７は、利用者の操作に応じた各種の入力を受け付けるとともに、各種画像（画面）を表示する。本実施の形態では、操作パネル１７が、各種入力の受け付けを行なう受付機能と、各種画像（画面）の表示を行なう表示機能との双方を一体的に備えたタッチパネルである場合を説明するが、これに限定されるものではない。例えば、操作パネル１７は、各種の入力を受け付ける入力装置と、各種情報を表示する表示装置との別体として構成されてもよい。
【００１４】
通信Ｉ／Ｆ１８は、ネットワークを介して、外部装置（例えば、クライアント端末等）と通信するためのインタフェースである。
【００１５】
図２は、第１の実施の形態による画像形成装置の機能構成の一例を示すブロック図である。画像形成装置１００は、画像入力部１０１と、画像蓄積部１０２と、画像印刷部１０３と、操作部１０４と、表示部１０５と、制御部１０６と、を備える。
【００１６】
画像入力部１０１は、光学スキャナによる紙原稿の読み取り、あるいはデスクトップ型またはノート型のパーソナルコンピュータ等の情報処理装置からのプリンタ画像などを受け付け、デジタル化した画像データを生成する。
【００１７】
画像蓄積部１０２は、画像入力部１０１で生成された画像データを蓄積し、保存する。画像蓄積部１０２は、紙原稿をコピーして印刷したり、情報処理装置からのプリンタ画像を印刷したりするときなどのように、印刷完了まで一時的に画像データを保存する場合もあるし、画像形成装置１００の電源が落とされた後も画像データを保持し続け、再利用する場合もある。画像蓄積部１０２は、用途に応じて、例えば、図１のＲＡＭ１４またはＨＤＤ１５に画像データを保存する。
【００１８】
画像印刷部１０３は、画像蓄積部１０２に蓄積されている画像データの記録媒体への印刷を行う。記録媒体は、例えば紙である。
【００１９】
操作部１０４は、利用者からの原稿読み取りまたは印刷の実行の指示を受け付けたり、利用者による読み取り条件または印刷条件の詳細な設定の指示を受け付けたりする。
【００２０】
表示部１０５は、利用者に対して原稿読み取りまたは印刷の操作に関する情報を表示する。原稿読み取りまたは印刷の操作に関する情報として、例えば読取条件または印刷条件の設定画面、読み取りまたは印刷の実行指示画面、あるいは印刷プレビュー画面などが例示される。
【００２１】
操作部１０４と表示部１０５とは、表示部とボタンなどのように別々に構成されてもよいし、位置入力部付きの表示部のタッチパネルのように一体的に構成されてもよい。図３は、第１の実施の形態による操作部および表示部の構成の一例を示す図である。この例では、操作部１０４と表示部１０５とが、タッチパネル２００として構成されている。
【００２２】
タッチパネル２００は、表示画面２１０を有し、表示画面２１０内に、３つのタッチパネル領域２２０，２３０，２４０が設けられている。タッチパネル領域２２０には、出力色、原稿画像の種類、コピー出力の濃度、原稿送りなどについての設定を行うためのボタンが配置されている。タッチパネル領域２３０には、コピーの後処理の設定を行うためのボタンと、原稿枚数、セットした枚数（部数）およびコピーした枚数（部数）の表示領域と、が配置されている。
【００２３】
タッチパネル領域２４０には、印刷対象の用紙種類の選択、印刷対象の出力倍率の設定、印刷対象の用紙への印刷方法などについての設定を行うためのボタンが配置されている。なお、用紙は、第１の方向に延在する一対の第１の辺と、第１の方向に直交する第２の方向に延在する一対の第２の辺と、を輪郭に有する矩形状を有するものとする。印刷対象の用紙種類の選択には、印刷対象の給紙トレイを選択する給紙トレイ選択ボタン２３１が設けられている。給紙トレイ選択ボタン２３１は、画像形成装置１００に設けられる給紙トレイを選択するものであり、ここでは、第１の給紙トレイから第５の給紙トレイを選択するための選択ボタン２３１ａ〜２３１ｅが配置されている。また、各選択ボタン２３１ａ〜２３１ｅには、給紙トレイを識別する情報と、給紙トレイに設定されている用紙の内容と、が表示されている。例えば、選択ボタン２３１ａは、第１の給紙トレイにＡ４サイズの用紙が縦置きで配置されていることを示しており、選択ボタン２３１ｂは、第２の給紙トレイに１２インチ×１８インチサイズの用紙が横置きで配置されていることを示している。選択ボタン２３１ｃは、第３の給紙トレイにＡ３サイズの用紙が横置きで配置されていることを示しており、選択ボタン２３１ｄは、第４の給紙トレイにＡ３サイズよりも副走査方向のサイズが大きいＡ３ノビ紙１が横置きで配置されていることを示しており、選択ボタン２３１ｅは、第５の給紙トレイにＡ３サイズよりも主走査方向のサイズが大きいＡ３ノビ紙２が横置きで配置されていることを示している。給紙トレイ選択ボタン２３１のうちのいずれかの選択ボタン２３１ａ〜２３１ｅが選択されると、画像形成装置１００は、選択ボタンで選択された給紙トレイに設定されている用紙を用いた印刷を行う。なお、以下の実施の形態では、ノビ紙は、作像可能範囲よりも大きいサイズの用紙のことをいうものとする。
【００２４】
制御部１０６は、画像入力部１０１、画像蓄積部１０２、画像印刷部１０３、操作部１０４および表示部１０５の制御を行う。具体的には、制御部１０６は、操作部１０４からの指示に従って、画像入力、プレビュー画像の表示、画像印刷などの指示を行う。制御部１０６は、ユーザにより設定された印刷設定に基づいて画像データの印刷を実行するときの印刷結果をプレビューするプレビュー画像の表示部１０５への表示を制御する機能を有する。
【００２５】
本実施の形態では、制御部１０６は、給紙トレイ選択ボタン２３１で選択された用紙のサイズと、画像印刷部１０３の作像可能範囲のサイズと、に応じて画像入力部１０１で生成される画像データの読取サイズを決定する。概略的には、画像データの読取サイズは、作像可能範囲と用紙とを、方向を合わせて重ねたときに重なり量が最大となるサイズである。画像蓄積部１０２には、決定された読取サイズの画像データが蓄積されることになる。読取サイズは、用紙の搬送方向を副走査方向とし、用紙に平行でかつ副走査方向に直交する方向を主走査方向とした場合に、主走査方向の画像長および副走査方向の画像長を含む。主走査方向の画像長は、主走査方向で用紙のサイズおよび作像可能範囲のサイズのうちの短い方の長さであり、副走査方向の画像長は、副走査方向で用紙のサイズおよび作像可能範囲のサイズのうちの短い方の長さである。
【００２６】
また、制御部１０６は、操作部１０４から作像イメージのプレビュー表示の指示を受け付けた場合に、選択された用紙のサイズと、画像データの読取サイズと、の大小関係に応じて作像イメージを作成し、表示部１０５にプレビュー表示する。ここでは、主走査方向および副走査方向の用紙のサイズおよび画像データの読取サイズを比較することによって、プレビュー表示の仕方を制御する。
【００２７】
例えば、主走査方向および副走査方向での用紙のサイズと読取サイズとが同じである場合には、制御部１０６は、画像蓄積部１０２に蓄積された画像データをそのまま表示部１０５にプレビュー表示する。また、主走査方向または副走査方向で用紙のサイズが読取サイズよりも小さい場合には、制御部１０６は、画像蓄積部１０２に蓄積された画像データに対して、その方向の画像を一部削除した画像データを表示部１０５にプレビュー表示する。さらに、主走査方向または副走査方向で用紙のサイズが読取サイズよりも大きい場合には、画像蓄積部１０２に蓄積された画像データに対して、その方向に余白を付加した画像データを表示部１０５にプレビュー表示する。
【００２８】
このような処理を行うために、制御部１０６は、画像印刷部１０３の作像可能範囲情報と、用紙種類ごとの用紙長さ情報と、を保持している。図４は、作像可能範囲情報の一例を示す図であり、図５は、用紙長さ情報の一例を示す図である。図４の作像可能範囲情報は、画像印刷部１０３での作像可能範囲の主走査方向および副走査方向のサイズを示すものである。この作像可能範囲情報は、画像形成装置１００ごとに異なり、装置特有の情報として、制御部１０６に組み込まれている。
【００２９】
図５の用紙長さ情報は、画像形成装置１００で使用される可能性のある用紙について、用紙種類ごとの主走査方向および副走査方向のサイズを示すものである。ここでは、定型のサイズを有する用紙に加えて、Ａ３のノビ紙についてのサイズも含まれている。用紙種類が「Ａ３ヨコノビ１」は、Ａ３用紙に比して、副走査方向の長さが長くなっており、用紙種類「Ａ３ヨコノビ２」は、Ａ３用紙に比して、主走査方向の長さが長くなっている。この用紙長さ情報は、制御部１０６に組み込まれている。制御部１０６は、用紙長さ情報を用いることで、操作部１０４で選択された給紙トレイの用紙種類から、給紙トレイに設定されている用紙の主走査方向および副走査方向の長さに変換することができる。
【００３０】
つぎに、このような画像形成装置でのプレビュー画面の表示方法を含む画像形成方法について説明する。図６は、第１の実施の形態によるコピー時の原稿読み取り処理の手順の一例を示すフローチャートである。まず、制御部１０６は、画像印刷部１０３の作像可能範囲情報を取得する（ステップＳ１１）。また、制御部１０６は、操作部１０４から利用者によって選択された給紙トレイに設定されている用紙の種類を取得し（ステップＳ１２）、用紙の種類に対応する用紙長さ情報を取得する（ステップＳ１３）。
【００３１】
その後、制御部１０６は、主走査方向において、選択された用紙の長さ（以下、用紙長という）が作像可能範囲の長さ（以下、作像可能長という）以下であるかを判定する（ステップＳ１４）。制御部１０６は、用紙長が作像可能長以下である場合（ステップＳ１４でＹｅｓの場合）には、用紙長を画像長とし（ステップＳ１５）、用紙長が作像可能長より大きい場合（ステップＳ１４でＮｏの場合）には、作像可能長を画像長とする（ステップＳ１６）。
【００３２】
ステップＳ１５またはステップＳ１６の後、制御部１０６は、副走査方向において、用紙長が作像可能長以下であるかを判定する（ステップＳ１７）。制御部１０６は、用紙長が作像可能長以下である場合（ステップＳ１７でＹｅｓの場合）には、用紙長を画像長とし（ステップＳ１８）、用紙長が作像可能長より大きい場合（ステップＳ１７でＮｏの場合）には、作像可能長を画像長とする（ステップＳ１９）。
【００３３】
ステップＳ１８またはステップＳ１９の後、制御部１０６は、主走査方向の画像長×副走査方向の画像長の読取サイズで原稿を読み取るように、画像入力部１０１に指示を出す。これによって、画像入力部１０１は、指示された読取サイズで光学スキャナによる紙原稿の読み取りを行い（ステップＳ２０）、画像データを生成し、生成された画像データを画像蓄積部１０２に蓄積する（ステップＳ２１）。このとき、制御部１０６は、画像データとともに、蓄積した画像データの読取サイズも、画像蓄積部１０２に蓄積する。図７は、実施形態による読取サイズ情報の一例を示す図である。図７に示されるように、読み取った画像データに識別情報を付し、識別情報毎に、主走査方向の画像長および副走査方向の画像長を記録する。識別情報としては、１回に読み取る紙原稿を１ページとしたページ番号を用いることができる。以上で、コピー時の原稿読み取り処理が終了する。
【００３４】
図８〜図１１は、第１の実施の形態による原稿読み取り処理の一例を示す図である。ここでは、画像印刷部１０３の作像可能範囲３２０が図４の作像可能範囲情報に示されるように、主走査方向が３０５ｍｍであり、副走査方向が４５７ｍｍである場合のコピー時の原稿読み取り処理の一例を説明する。
【００３５】
＜主走査方向および副走査方向で用紙長が作像可能長以下である場合＞
この場合は、図３で、選択ボタン２３１ａが選択された場合に相当する。選択ボタン２３１ａに対応する給紙トレイの用紙の種類は、Ａ４用紙である。図８に示されるように、用紙３１０の主走査方向の用紙長は、２１０ｍｍであり、副走査方向の用紙長が２９７ｍｍである。この場合、主走査方向、副走査方向ともに、用紙長は、作像可能長以下となる。つまり、画像データ３３０の読取サイズは、用紙３１０の用紙長と同じとなる。
【００３６】
＜主走査方向および副走査方向で用紙長が作像可能長よりも長い場合＞
この場合は、図３には図示されていないが、１３インチ×１９インチの横置きの用紙が選択された場合に相当する。図９に示されるように、用紙３１０の主走査方向の用紙長は、３３０．２ｍｍであり、副走査方向の用紙長が４８２．６ｍｍである。この場合、主走査方向、副走査方向ともに、用紙長は、作像可能長よりも大きくなる。つまり、画像データ３３０の読取サイズは、作像可能範囲３２０の作像可能長と同じとなる。
【００３７】
＜主走査方向の用紙長が作像可能長以下であり、副走査方向の用紙長が作像可能長よりも長い場合＞
この場合は、図３で、選択ボタン２３１ｄが選択された場合に相当する。選択ボタン２３１ｄに対応する給紙トレイの用紙の種類は、Ａ３ノビ紙１である。図１０に示されるように、用紙３１０の主走査方向の用紙長は２９７ｍｍであり、副走査方向の用紙長が４８２．６ｍｍである。この場合、主走査方向では、用紙長が作像可能長よりも短く、副走査方向では、作像可能長が用紙長よりも短い。つまり、画像データの読取サイズは、主走査方向では用紙長を有し、副走査方向では作像可能長を有する。
【００３８】
＜主走査方向の用紙長が作像可能長よりも大きく、副走査方向の用紙長が作像可能長以下である場合＞
この場合は、図３で、選択ボタン２３１ｅが選択された場合に相当する。選択ボタン２３１ｅに対応する給紙トレイの用紙の種類は、Ａ３ノビ紙２である。図１１に示されるように、用紙３１０の主走査方向の用紙長は３３０．２ｍｍであり、副走査方向の用紙長が４２０ｍｍである。この場合、主走査方向では、作像可能長が用紙長よりも短く、副走査方向では、用紙長が作像可能長よりも短い。つまり、画像データの読取サイズは、主走査方向では作像可能長を有し、副走査方向では用紙長を有する。
【００３９】
図１２は、第１の実施の形態によるプレビュー画像表示処理手順の一例を示すフローチャートである。なお、ここでは、画像データを拡大、縮小せずに、すなわち等倍で印刷を実行する場合を例に挙げて説明する。まず、制御部１０６は、操作部１０４から利用者によって選択された給紙トレイに設定されている用紙の種類に対応する用紙長さ情報を取得する（ステップＳ３１）。また、制御部１０６は、画像蓄積部１０２から印刷しようとしている画像データに対応する読取サイズを取得する（ステップＳ３２）。
【００４０】
その後、制御部１０６は、主走査方向で用紙長と画像データの画像長とが等しいかを判定する（ステップＳ３３）。主走査方向で用紙長と画像長とが等しくない場合（ステップＳ３３でＮｏの場合）には、主走査方向において、用紙長が画像長よりも長いかを判定する（ステップＳ３４）。主走査方向の用紙長が画像長よりも長い場合（ステップＳ３４でＹｅｓの場合）には、制御部１０６は、主走査方向に付加する余白の余白長を計算する（ステップＳ３５）。余白長は、次式（１）によって算出される。
余白長＝（用紙長−画像長）／２  ・・・（１）
【００４１】
ついで、制御部１０６は、画像データの主走査方向に算出した余白長を有する余白を付加する（ステップＳ３６）。余白は、画像データの主走査方向の両端部に付加される。
【００４２】
ステップＳ３４で、主走査方向の用紙長が画像長以下である場合（ステップＳ３４でＮｏの場合）には、制御部１０６は、主走査方向から削除する削除画像長を計算する（ステップＳ３７）。削除画像長は、次式（２）によって算出される。
削除画像長＝画像長−用紙長  ・・・（２）
【００４３】
その後、制御部１０６は、画像データの主走査方向の端部から算出した削除画像長の画像を削除する（ステップＳ３８）。例えば、画像データまたは用紙の左上、右上、左下および右下のうち所定の点を印刷処理の原点とした場合には、画像データの主走査方向のうち、印刷処理の原点となる側とは反対側から、算出した削除画像長の画像が削除される。また、画像データまたは用紙の中心を印刷処理の原点とした場合には、画像データの両側からそれぞれ算出した削除画像長の１／２の画像が削除される。なお、この処理は、例えば、Ａ３機で、Ａ３サイズの原稿をスキャンして、用紙種類がＡ４の用紙に印刷する場合で、画像データの拡大縮小の設定において、「等倍」が設定された場合に、この処理が実行される。また、画像データの拡大縮小の設定において、「等倍」以外の設定値が設定された場合は、拡大、縮小の倍率またはサイズ（長さ）に応じて削除領域が変わる。
【００４４】
ステップＳ３３で主走査方向の用紙長が画像長と等しい場合（ステップＳ３３でＹｅｓの場合）、ステップＳ３６の後、またはステップＳ３８の後、制御部１０６は、副走査方向で用紙長と画像長とが等しいかを判定する（ステップＳ３９）。副走査方向で用紙長と画像長とが等しくない場合（ステップＳ３９でＮｏの場合）には、副走査方向において、用紙長が画像長よりも長いかを判定する（ステップＳ４０）。副走査方向の用紙長が画像長よりも長い場合（ステップＳ４０でＹｅｓの場合）には、制御部１０６は、副走査方向に付加する余白の余白長を（１）式にしたがって計算する（ステップＳ４１）。ついで、制御部１０６は、主走査方向の処理で得られた画像データの副走査方向に算出した余白長を有する余白を付加する（ステップＳ４２）。余白は、画像データの副走査方向の両端部に付加される。
【００４５】
ステップＳ４０で、副走査方向の用紙長が画像長以下である場合（ステップＳ４０でＮｏの場合）には、制御部１０６は、副走査方向から削除する削除画像長を（２）式にしたがって計算する（ステップＳ４３）。
【００４６】
その後、制御部１０６は、主走査方向の処理で得られた画像データの副走査方向の端部から算出した削除画像長の画像を削除する（ステップＳ４４）。この場合の画像の削除の仕方は、ステップＳ３８で説明したものと同様である。そして、制御部１０６は、表示部１０５にプレビュー画像を表示し（ステップＳ４５）、処理が終了する。
【００４７】
図１３〜図１６は、第１の実施形態によるプレビュー画像の表示処理の一例を示す図である。ここでは、画像印刷部１０３の作像可能範囲３２０が図４の作像可能範囲情報に示されるように、主走査方向が３０５ｍｍであり、副走査方向が４５７ｍｍである場合のコピー時の原稿読み取り処理の一例を説明する。
【００４８】
＜主走査方向および副走査方向で用紙長が画像長と等しい場合＞
例えば、図１３に示されるように、用紙３１０の種類がＡ４サイズであり、画像データ３３０のサイズもＡ４サイズである場合である。この場合には、画像データ３３０がそのままプレビュー画像３４０となる。
【００４９】
＜主走査方向および副走査方向で用紙長が画像長よりも長い場合＞
例えば、図１４に示されるように、用紙３１０の種類が１３インチ×１９インチの用紙であり、画像データ３３０のサイズが１２インチ×１８インチである場合である。この場合には、画像データ３３０の主走査方向の両側および副走査方向の両側に余白３４５が付加されたものがプレビュー画像３４０となる。プレビュー画像３４０の大きさは、用紙３１０のサイズと同じとなる。
【００５０】
＜主走査方向では用紙長と画像長とが等しく、副走査方向で用紙長が画像長よりも長い場合＞
例えば、図１５に示されるように、用紙３１０の種類がＡ３のノビ紙１であり、画像データ３３０のサイズがＡ３サイズである場合である。この場合には、画像データ３３０の副走査方向の両側に余白３４５が付加されたものがプレビュー画像３４０となる。プレビュー画像３４０の大きさは、用紙３１０のサイズと同じとなる。
【００５１】
＜主走査方向で用紙長が画像長よりも長く、副走査方向では用紙長と画像長とが等しい場合＞
例えば、図１６に示されるように、用紙３１０の種類がＡ３のノビ紙２であり、画像データ３３０のサイズがＡ３サイズである場合である。この場合には、画像データ３３０の主走査方向の両側に余白３４５が付加されたものがプレビュー画像３４０となる。プレビュー画像３４０の大きさは、用紙３１０のサイズと同じとなる。
【００５２】
図１７は、第１の実施の形態によるプレビュー画面の一例を示す図である。この図では、例えば、図９および図１４のように、主走査方向および副走査方向において、用紙長が作業可能長よりも長く、かつ用紙長が画像長よりも長い場合を示している。タッチパネル２００の表示画面２１０には、プレビュー画像３４０が表示されている。プレビュー画像３４０には、画像データ３３０と、画像データ３３０の主走査方向および副走査方向の両側に余白３４５と、が含まれており、実際に画像データを用紙に印刷したときのイメージと同じイメージが示されている。
【００５３】
なお、上記した説明では、画像形成装置１００で原稿をスキャンして得られたデジタルデータのプレビュー画像を表示部１０５に表示する場合を示したが、情報処理装置から入力されたプリンタ画像に対しても同様にしてプレビュー画像を表示することができる。例えば、情報処理装置から印刷ジョブを画像形成装置１００またはプリントサーバに送信し、画像形成装置１００またはプリントサーバが印刷ジョブを保持しておき、利用者が画像形成装置１００において、印刷対象の文書を選択して印刷を指示したことに応じて印刷を実行させる、所謂プルプリント／オンデマンド印刷／ロケーションフリー印刷の場合、利用者が印刷ジョブのプレビューを行い、印刷を指示することができる。ただし、この場合には、スキャンが行われないため、図６のコピー時の原稿読み取り処理は実行されない。
【００５４】
情報処理装置から入力されたプリンタ画像の印刷を行う場合には、蓄積された画像データの読取サイズと用紙サイズとが等しい場合には読取サイズでプレビュー画像が表示される。また、用紙サイズの方が読取サイズよりも大きい場合には余白が付加されたプレビュー画像が表示され、読取サイズの方が用紙サイズよりも大きい場合には、画像データが一部削除された用紙サイズのプレビュー画像が表示される。なお、余白の算出は図１２のプレビュー画像表示処理と同じように行われるが、図１２の用紙長は、ドライバなどで設定された用紙サイズとなり、図１２の画像長は、作像可能サイズの上限となる。
【００５５】
第１の実施形態では、コピーを行う場合には、原稿読み取り処理によって、主走査方向および副走査方向において、用紙長および作像可能長のうち短い方を画像データの読取サイズとした。また、プレビュー画像表示処理で、主走査方向または副走査方向において、用紙長が画像データの画像長よりも大きい場合に、その走査方向の画像データの両側に余白を付加したプレビュー画像を形成し、表示するようにした。これによって、作像可能範囲よりも大きなサイズの用紙に印刷を行う場合に、最終的に用紙に印刷されたイメージと同じ余白を有する作像イメージをプレビュー表示することができ、利用者は最終的に得られる用紙のイメージを確認することができる。
【００５６】
（第２の実施の形態）
第１の実施形態の図１２のプレビュー画像表示処理は、画像データの拡大または縮小をせずに、等倍で印刷を実行する場合を例に挙げた。第２の実施形態では、画像データの拡大または縮小を行う場合の余白の付加の方法について説明する。
【００５７】
図１８は、第２の実施の形態による画像データを変倍したときのプレビュー画像の表示処理の一例を示す図である。ここでは、図１８（ａ）に示されるように、用紙３１０の種類が１３インチ×１９インチの用紙であり、画像データ３３０のサイズがＡ３である場合である。等倍が指定された場合には、主走査方向および副走査方向において、用紙長は画像長よりも長いので、第１の実施の形態で説明したように、画像データ３３０の主走査方向および副走査方向の両側に余白３４５が付加されることになる。一方、画像データの拡大または縮小が指示された場合には第１の実施の形態で算出された余白長が、さらに拡大率・縮小率または拡大サイズ・縮小サイズに応じて調整される。以下に、画像データを縮小する場合と拡大する場合について説明する。なお、ここでは、画像データの右上を原点Ｏとする場合を例に挙げる。
【００５８】
＜画像データを縮小する場合＞
基本的には、画像データを縮小した大きさの余白を追加する処理が行われる。図１２のステップＳ３５で、制御部１０６は、主走査方向に付加する余白長を計算するとともに、縮小によって生じる追加余白長を計算する。制御部１０６は、主走査方向で、等倍の画像データ３３０の画像長と、縮小後の画像データ３３０ａの変倍後画像長と、を用いて、次式（３）にしたがって追加余白長を算出する。
追加余白長＝（画像長−変倍後画像長）  ・・・（３）
【００５９】
その後、ステップＳ３６で、制御部１０６は、画像データの主走査方向に計算された余白長を有する余白３４５を付加するとともに、画像データを設定された倍率に縮小して、計算された追加余白長を有する追加余白３４５ａを付加する。図１８（ｂ）に示されるように、原点Ｏを中心として画像データ３３０を所定の倍率で縮小して変倍した画像データ３３０ａとする。このとき、制御部１０６は、画像データ３３０の配置領域の原点Ｏを含む主走査方向の端部と対向する端部から画像データ３３０の内側に向かって、算出した追加余白長を有する追加余白３４５ａを付加する。
【００６０】
副走査方向の付加する余白長の計算処理（ステップＳ４１）および余白の付加処理（ステップＳ４２）でも、同様の処理が行われる。
【００６１】
＜画像データを拡大する場合＞
基本的には、画像データを拡大した大きさの余白を除去する処理が行われる。図１２のステップＳ３５で、制御部１０６は、主走査方向に付加する余白長を計算するとともに、拡大によって生じる削除余白長を計算する。制御部１０６は、主走査方向で、等倍の画像データ３３０の画像長と、拡大後の画像データ３３０ｂの変倍後画像長と、を用いて、次式（４）にしたがって追加余白長を算出する。
削除余白長＝（変倍後画像長−画像長）  ・・・（４）
【００６２】
その後、ステップＳ３６で、制御部１０６は、画像データの主走査方向に計算された余白長を有する余白３４５を付加するとともに、画像データを設定された倍率に拡大して、計算された削除余白長分の余白３４７を余白３４５から削除する。図１８（ｃ）に示されるように、原点Ｏを中心として画像データ３３０を所定の倍率で縮小して変倍した画像データ３３０ａとする。このとき、制御部１０６は、画像データ３３０の配置領域の原点Ｏを含む主走査方向の端部と対向する端部から画像データ３３０の外側に向かって、算出した削除余白長を有する余白３４７を削除する。
【００６３】
副走査方向の付加する余白長の計算処理（ステップＳ４１）および余白の付加処理（ステップＳ４２）でも、同様の処理が行われる。
【００６４】
なお、ここでは、画像データ３３０の右上に原点Ｏがある場合を例に挙げたが、画像データの左上、左下、右下、または用紙の左上、右上、左下、右下のうち、所定の点を原点としてもよい。また、画像データまたは用紙の中心を原点としてもよい。図１９は、第２の実施の形態による画像データを変倍したときのプレビュー画像の表示処理の他の例を示す図である。ここでは、図１８と同様に、用紙３１０の種類が１３インチ×１９インチの用紙であり、画像データ３３０のサイズがＡ３である場合を示している。また、原点Ｏが画像データ３３０の中心にある場合を示している。
【００６５】
図１９（ａ）に示されるように、画像データ３３０を縮小する場合には、画像データ３３０の配置領域の主走査方向の両端部から内側に向かって、（３）式で算出した追加余白長の１／２の追加余白３４５ａが付加される。
【００６６】
また、図１９（ｂ）に示されるように、画像データ３３０を拡大する場合には、画像データ３３０の配置領域の主走査方向の両端部から外側に向かって、（４）式で算出した削除余白長の１／２の余白３４７が削除される。
【００６７】
第２の実施の形態では、画像データの拡大、縮小が指示された場合に、拡大した大きさの余白を除去し、縮小した大きさの余白を追加した。これによって、作像可能範囲よりも大きな用紙に印刷を行う場合で、画像データの倍率を変更した場合でも、最終的に用紙に印刷されたイメージと同じ余白を有する作像イメージをプレビュー表示することができ、利用者は最終的に得られる用紙のイメージを確認することができる。
【００６８】
本実施の形態の画像形成装置１００で実行されるプログラムは、インストール可能な形式または実行可能な形式のファイルでＣＤ（Compact  Disc）−ＲＯＭ、フレキシブルディスク（ＦＤ）、ＣＤ−Ｒ（Recordable）、ＤＶＤ（Digital  Versatile  Disk）等のコンピュータで読み取り可能な記録媒体に記録されて提供される。
【００６９】
また、本実施の形態の画像形成装置１００で実行されるプログラムを、インターネット等のネットワークに接続されたコンピュータ上に格納し、ネットワーク経由でダウンロードさせることにより提供するように構成してもよい。また、本実施の形態の画像形成装置１００で実行されるプログラムをインターネット等のネットワーク経由で提供または配布するように構成してもよい。
【００７０】
さらに、本実施の形態の画像形成装置１００で実行されるプログラムを、プログラムＲＯＭ等に予め組み込んで提供するように構成してもよい。
【００７１】
なお、上記実施の形態では、本発明の画像形成装置を、コピー機能、プリンタ機能、スキャナ機能およびファクシミリ機能のうち少なくとも２つの機能を有する複合機に適用した例を挙げて説明するが、複写機、プリンタ、スキャナ装置、ファクシミリ装置等の画像形成装置であればいずれにも適用することができる。
【符号の説明】
【００７２】
１００  画像形成装置
１０１  画像入力部
１０２  画像蓄積部
１０３  画像印刷部
１０４  操作部
１０５  表示部
１０６  制御部
【先行技術文献】
【特許文献】
【００７３】
【特許文献１】特開２０１１−２０５３５６号公報
【図１】
2020088749.tif 000003
【図２】
2020088749.tif 000004
【図３】
2020088749.tif 000005
【図４】
2020088749.tif 000006
【図５】
2020088749.tif 000007
【図６】
2020088749.tif 000008
【図７】
2020088749.tif 000009
【図８】
2020088749.tif 000010
【図９】
2020088749.tif 000011
【図１０】
2020088749.tif 000012
【図１１】
2020088749.tif 000013
【図１２】
2020088749.tif 000014
【図１３】
2020088749.tif 000015
【図１４】
2020088749.tif 000016
【図１５】
2020088749.tif 000017
【図１６】
2020088749.tif 000018
【図１７】
2020088749.tif 000019
【図１８】
2020088749.tif 000020
【図１９】
2020088749.tif 000021